(57)【要約】【課題】シャッターカーテン収納時の、水切スラットと収納部の開口縁部とが互いに接触する際の衝撃音等の発生を抑え、また、この開口縁部に傷などを付けることを防止する。【解決手段】シャッターカーテン３０の最下端に連結され、上半部３と下半部６とで構成されて下半部６が上半部３に対して上昇可能に連結される略垂直な連結板部２と、略水平な当接板部８とを備えた略逆Ｔ字状に形成される水切スラットの構造であって、連結板部２の下半部６に係合する係合部１７を有し、当接板部８の長手方向の左右端部８ｂを被覆するように着脱自在に取り付けられ、当接板部８の上面側となる上表面に軟質樹脂よりなる緩衝部１５を有するとともに、上半部３と下半部６との接触対向面間に介設される緩衝片１９を有する被覆部材１０を具備する。【選択図】        図１
2004278008.tif 000002
【特許請求の範囲】
【請求項１】
シャッター装置を構成するシャッターカーテンの最下端に連結され、略垂直な連結板部と、略水平な当接板部とを備えた略逆Ｔ字状に形成される水切スラットの構造であって、
前記当接板部の少なくとも長手方向の左右端部を被覆するように取り付けられ、該当接板部の上面側となる上表面に緩衝部を有した被覆部材を具備することを特徴とする水切スラットの構造。
【請求項２】
シャッター装置を構成するシャッターカーテンの最下端に連結され、略垂直な連結板部と、略水平な当接板部とを備えた略逆Ｔ字状に形成される水切スラットの構造であって、
前記連結板部に係合する係合部を有し、前記当接板部の少なくとも長手方向の左右端部を被覆するように着脱自在に取り付けられ、該当接板部の上面側となる上表面に緩衝部を有した被覆部材を具備することを特徴とする水切スラットの構造。
【請求項３】
シャッター装置を構成するシャッターカーテンの最下端に連結され、上半部と下半部とで構成されて該下半部が前記上半部に対して上昇可能に連結される略垂直な連結板部と、略水平な当接板部とを備えた略逆Ｔ字状に形成される水切スラットの構造であって、
前記連結板部の下半部に係合する係合部を有し、前記当接板部の少なくとも長手方向の左右端部を被覆するように着脱自在に取り付けられ、該当接板部の上面側となる上表面に緩衝部を有した被覆部材を具備することを特徴とする水切スラットの構造。
【請求項４】
シャッター装置を構成するシャッターカーテンの最下端に連結され、上半部と下半部とで構成されて該下半部が前記上半部に対して上昇可能に連結される略垂直な連結板部と、略水平な当接板部とを備えた略逆Ｔ字状に形成される水切スラットの構造であって、
前記連結板部の下半部に係合する係合部を有し、前記当接板部の少なくとも長手方向の左右端部を被覆するように着脱自在に取り付けられ、該当接板部の上面側となる上表面に緩衝部を有するとともに、前記上半部と前記下半部との接触対向面間に介設される緩衝片を有する被覆部材を具備することを特徴とする水切スラットの構造。
【請求項５】
前記緩衝部は、軟質樹脂よりなることを特徴とする請求項１，２，３，４のいずれか１つに記載の水切スラットの構造。
【発明の詳細な説明】
【０００１】
【発明の属する技術分野】
本発明は、住宅などの構築構造物の窓部分など開口空間部分に配設されるシャッター装置を構成するシャッターカーテンの最下端に連結され、シャッターカーテン閉鎖時に開口空間部分の閉鎖側端縁に当接する水切スラットの構造に関するものである。
【０００２】
【従来の技術】
一般に、住宅などの建物の窓部分や、その他の開口部分に配設されるシャッター装置には、開口部分を閉鎖した際に、その開口部分の下縁に当接する水切スラットが、シャッターカーテンの最下端に連結される。
この水切スラットは、種々の形状，構造のものがあるが、シャッターカーテンを巻き取り、シャッターケースなどの収納部に収容される際に、シャッターカーテンが収納部内に全て巻き取られないような機能が付加されている構成のものがある。
【０００３】
このような構造としては、例えば、下記特許文献１に示される戸当たり部材を備えたものなどがある。この戸当たり部材は、シャッターカーテンの最下端を構成する水切スラットの一方の面に、略水平方向に延出して固定されるものである。そして、シャッターカーテンを収容する収納部におけるスリット状の出入口の開口縁部に、この戸当たり部材が当接することで、シャッターカーテン巻き取り時のストッパとされている。
また、その他の例として、略逆Ｔ字状に形成される専用のスラット部材を、シャッターカーテンの最下端に連結し、これを水切スラットとして構成することもある。
【０００４】
【特許文献１】
実開昭６０−１２９４９３号公報
【０００５】
【発明が解決しようとする課題】
しかしながら、上述した従来の戸当たり部材を備えた水切スラットや、略逆Ｔ字状の水切スラットでは、シャッターカーテンを巻き取った際に、シャッターカーテンが収納部内に巻き取られてしまうことはないが、収納部の開口縁部に当接することとなる。これにより、衝撃音が発生することがある。
また、開口縁部と水切スラットとが当接することで、この開口縁部に傷がついたり、塗膜が剥離したりするなどのおそれがある。通常、この開口縁部は、建物開口の上縁であり、この開口縁部を見上げることで、その傷が視認されることとなり、見栄えが悪くなるとともに、収納部が金属製である場合には錆などが発生するおそれがある。
【０００６】
そこで本発明は、上記課題を解消するために、シャッターカーテンを収納する際に、水切スラットと収納部の開口縁部とが互いに接触する際の衝撃音等の発生を抑えることが可能な水切スラットの構造を得ることを目的としている。また、収納部の開口縁部に対して、傷などを付けることを防止した水切スラットの構造を得ることを目的としている。
【０００７】
【課題を解決するための手段】
次に、上記の課題を解決するための手段を、実施の形態に対応する図面を参照して説明する。
この発明の請求項１記載の水切スラットの構造は、シャッター装置を構成するシャッターカーテン３０の最下端に連結され、略垂直な連結板部２と、略水平な当接板部８とを備えた略逆Ｔ字状に形成される水切スラットの構造であって、
前記当接板部８の少なくとも長手方向の左右端部８ｂを被覆するように取り付けられ、該当接板部８の上面側となる上表面に緩衝部１５を有した被覆部材１０を具備することを特徴とする。
【０００８】
請求項２記載の水切スラットの構造は、シャッター装置を構成するシャッターカーテン３０の最下端に連結され、略垂直な連結板部２と、略水平な当接板部８とを備えた略逆Ｔ字状に形成される水切スラットの構造であって、
前記連結板部２に係合する係合部１７を有し、前記当接板部８の少なくとも長手方向の左右端部８ｂを被覆するように着脱自在に取り付けられ、該当接板部８の上面側となる上表面に緩衝部１５を有した被覆部材１０を具備することを特徴とする。
【０００９】
請求項３記載の水切スラットの構造は、シャッター装置を構成するシャッターカーテン３０の最下端に連結され、上半部３と下半部６とで構成されて該下半部６が前記上半部３に対して上昇可能に連結される略垂直な連結板部２と、略水平な当接板部８とを備えた略逆Ｔ字状に形成される水切スラットの構造であって、前記連結板部２の下半部６に係合する係合部１７を有し、前記当接板部８の少なくとも長手方向の左右端部８ｂを被覆するように着脱自在に取り付けられ、該当接板部８の上面側となる上表面に緩衝部１５を有した被覆部材１０を具備することを特徴とする。
【００１０】
請求項４記載の水切スラットの構造は、シャッター装置を構成するシャッターカーテン３０の最下端に連結され、上半部３と下半部６とで構成されて該下半部６が前記上半部３に対して上昇可能に連結される略垂直な連結板部２と、略水平な当接板部８とを備えた略逆Ｔ字状に形成される水切スラットの構造であって、前記連結板部２の下半部６に係合する係合部１７を有し、前記当接板部８の少なくとも長手方向の左右端部８ｂを被覆するように着脱自在に取り付けられ、該当接板部８の上面側となる上表面に緩衝部１５を有するとともに、前記上半部３と前記下半部６との接触対向面間に介設される緩衝片１９を有する被覆部材１０を具備することを特徴とする。
【００１１】
請求項５記載の水切スラットの構造は、請求項１，２，３，４のいずれか１つに記載の水切スラットの構造において、前記緩衝部１５は、軟質樹脂よりなることを特徴とする。
【００１２】
このような構成により、シャッターカーテン３０を収納部２５に収納する際に、シャッターカーテン３０が建物などの構築構造物の開口空間部分を全開状態とすることで、水切スラットが収納部２５の開口縁部２６に到達することとなると、水切スラットを構成する当接板部８の長手方向の左右端部８ｂに、被覆部材１０が取り付けられていることから、収納部２５の開口縁部２６には、被覆部材１０の上表面に設けられている緩衝部１５が当接することとなり、当接時における接触音や衝撃音などの発生が抑止されることとなる。
【００１３】
また、シャッターカーテン３０の全開状態時に、当接板部８が収納部２５の開口縁部２６に当接状態とされるが、当接板部８と開口縁部２６との間に被覆部材１０の緩衝部１５が介在することから、接触傷などを開口縁部２６側に負わせることを防止する。このことから、開口縁部２６における見栄えの低下などを防ぎ、また、塗膜の剥離や傷などによる錆の発生などを防止する。
【００１４】
さらに、緩衝片１９を設けた構成としたことで、上半部３と下半部６とで構成される連結板部２に対し、これら上半部３と下半部６との接触対向面間にこの緩衝片１９が介在されることとなるので、下半部６が上半部３に対して上下動する際の接触音などの発生を防ぐことが可能となる。
【００１５】
また、緩衝部１５を軟質樹脂で構成することで、接触音や衝撃音などの発生がさらに抑止されることとなる。
【００１６】
【発明の実施の形態】
図１は本発明による水切スラットの構造の実施の形態を示す分解斜視図、図２は同水切スラットの構造の一部分解斜視図、図３は水切スラットの構造の斜視図である。
本実施の形態の水切スラットの構造は、連結板部２と、当接板部８とで略構成される水切スラット本体１と、被覆部材１０とで大略構成されている。
【００１７】
水切スラット本体１を構成する連結板部２は、中空な角形パイプ形状で、左右に長尺なアルミ型材などより形成され、本実施の形態では、図１に示すように、上下に略分割した形状に形成され、上半部３と下半部６とで構成されている。
【００１８】
上半部３は、角形パイプ状の本体部３ａに、下向きに開口した断面略コ字状に形成される連結部３ｂを備え、本体部３の上端に連結カール部４が形成されている。この連結カール部４は、シャッターカーテン３０を構成する他のスラット、例えば、図１に示すような短冊板状のスラット３１と連結されるようになっている。また、この上半部３の連結部３ｂには、開口幅を狭める対向形成された係合縁５，５が形成されている。
【００１９】
下半部６は、角形パイプ状に形成され、上端６ａが略ヘ字状に形成されるとともに、上縁に、フランジ状に係合片７が長手方向に沿って前後両面より延設されている。そして、この下半部６は、上半部３の連結部３ｂの開口内に下方より進入し、開口の係合縁５，５とフランジ状の係合片７，７とが掛かり、すなわち、図３，図６に示すように、上半部３に対して下半部６が吊下状態とされるとともに、この上半部３に対して、下半部６が上昇可能となって連結される。
【００２０】
そして、これら上半部３と下半部６とで構成される連結板部２は、図示しないが、建物などの構築構造物の開口空間部分の左右縁部に配設される一対のガイドレール内に、その両端部２ａが挿入されて、上昇及び下降の際にガイドレールにより案内される。
【００２１】
当接板部８は、連結板部２の下半部６と一体に形成される。この当接板部８は、下半部６の下縁に、この下半部６に沿って長尺な板状に形成されるとともに、下半部６の前後方向に鍔状にそれぞれ延設され、この下半部６とともに断面略逆Ｔ字状に形成されている。
なお、この当接板部８は、その長さが、連結板部２よりやや短尺に形成されて、左右ガイドレール内には挿入されず、各ガイドレールの間に位置する。また、当接板部８の延出方向の端縁８ａは略垂下方向に折曲形成されている。
【００２２】
被覆部材１０は、被覆部１１と、緩衝部１５と、係合部１７と、緩衝片１９とで大略構成される。
被覆部１１は、略板状に形成されるとともに、当接板部８の厚さ及び形状と略同等の幅長となるスリット状部分を有した略袋状に形成され、連結板部２に対する表裏面側に対応した一対で構成されて、当接板部８の長手方向の端部８ｂの、表裏面及び端縁部分を覆うようになっている。なお、各被覆部１１は、下面が板状の連接板１２にて連結されて一体に構成されている。
【００２３】
各被覆部１１，１１を連結する連接板１２は、各被覆部１１，１１を連結する方向と直交して延出形成されている。この連接板１２は、各被覆部１１，１１が当接板部８の端部８ｂを覆って取り付けられた状態で、連結板部２の下端に沿うように構成される。すなわち、この連接板１２と各被覆部１１，１１により、略Ｔ字状に構成されている。連接板１２の先端には支持板１３が設けられている。支持板１３は、連接板１２に対して直交して垂直上方向に延出し略Ｌ字状に形成されている。連接板１２の延出長さは、当接板部８の端部８ｂに対して延出する連結板部２の端部２ａの長さに略設定されている。なお、好ましくは、この連接板１２の長手方向に沿う縁部分を起立形成し、連結板部２の下端を覆うように構成することとしてもよい（図５参照）。また、支持板１３は、連結板部２の端部２ａに沿って、この端部の端面を覆うように配置形成される。
【００２４】
緩衝部１５は、各被覆部１１，１１の上表面にそれぞれ層状に形成されている。これら緩衝部１５，１５は、好ましくは軟質な樹脂よりなり、或いはゴムを素材として構成され、被覆部１１と一体に形成されている。なお、図１，５に示すように、これら被覆部１１の上面は、略蒲鉾状に湾曲形成される。
【００２５】
係合部１７は、支持板１３の略中央部に設けられている。係合部１７は一対で構成され、それぞれが支持板１３に対して略水平方向に略平行となって連接板１２に沿うように延出し、外向きに爪部１８を有している。なお、これら係合部１７は、連結板部２の下半部６の中空部内に嵌入される幅長に設定される。
【００２６】
緩衝片１９は、支持板１３の上縁近傍に設けられている。この緩衝片１９は、一対で構成されて、係合部１７と同方向に延出して支持板１３に設けられている。これら緩衝片１９，１９の間隔は、連結板部２の下半部６の厚さと略同等に設定されており、かつ、連接板１２からの高さ距離が、下半部６の高さと略同等に設定される。
【００２７】
そして、この被覆部材１０は、連結板部２の下半部６に、その長手方向両端部より各端部８ｂに取り付けられる。なお、この下半部６には、図１，２に示すように、端部近傍に、上記各係合部１７のそれぞれの爪部１８が嵌入する係止穴９が穿設されている。
被覆部材１０の各被覆部１１は、当接板部８の端部８ｂにおける、表面，裏面，端面を覆い、連接板１２が下半部６の下端に沿う。また、支持板１３に延設される各係合部１７が下半部６に嵌入されて、各爪部１８が係止穴９に嵌入して係合され、下半部６の端部における端面を覆うように取り付けられる。この状態で、支持板１３に延設されている各緩衝片１９，１９は、図５に示すように、下半部６の各係合片７，７の下面に沿って当接状態となる。また、各被覆部１１の上表面の緩衝部１５は、当接板部８の上面側となる。
【００２８】
なお、上記した水切スラット本体１は、持ち上げ防止装置を構成し、図５に示すように、上半部３に軸部２１を備え、この軸部２１に対して揺動自在に係止爪２２が設けられ、係止爪２２先端近傍が下半部６の上端６ａに当接状態とされた構成とされる。この水切スラット本体１によれば、シャッターカーテン３０が下降して全閉状態となると、当接板部８が建物開口の下縁Ｇに当接することで、連結板部２の下半部６が上半部３の方向に上昇し、これにより、図６に示すように、係止爪２２が下半部６の上端６ａにて回動して連結板部２の厚み方向に突出し、例えばガイドレール内の凹部などに係止するようになるものである。
【００２９】
従ってこのように構成された水切スラットの構造によれば、シャッターカーテンを収納部２５に収納する際に、例えば、巻き取ることで収納する際、シャッターカーテンが巻き取られ建物開口の全開状態となることで、図５に示すように、水切スラットが収納部２５の開口縁部２６に到達することとなる。このとき、水切スラット本体１の左右両端における当接板部８の両端部８ｂに、被覆部材１０がそれぞれ取り付けられていることから、収納部２５の開口縁部２６には、被覆部材１０の上表面に設けられている緩衝部１５が当接することとなる。そして、緩衝部１５が軟質樹脂で構成されていることから、その当接時における接触音や衝撃音などの発生が抑止されることとなる。
【００３０】
また、シャッターカーテンの開放状態時に、水切スラット本体１の当接板部８が収納部２５の開口縁部２６に当接状態とされるが、当接板部８と開口縁部２６との間に被覆部材１０の緩衝部１５が介在することにより、接触傷などを開口縁部２６側に負わせることがなくなる。このことから、開口縁部２６における見栄えの低下などが起きず、また、塗膜の剥離や傷による錆の発生などのおそれもなくなる。
【００３１】
さらに、緩衝片１９が、上半部３と下半部６との接触対向面間である係合縁５と係合片７との間に介在されることとなるので、吊下状態の下半部６が上半部３に対して上下動する際の接触音の発生を防ぐことが可能となる。
【００３２】
また、この被覆部材１０が、経時変化などにより、劣化や破損などが起きた際には、係合部１７を解除して連結板部２及び当接板部８から被覆部材１０を取り除き、新たな被覆部材１０を取り付けることで上記した効果を再び得られることとなる。すなわち、この係合部１７により、被覆部材１０の交換が可能となり、メンテナンス性なども向上することとなる。
【００３３】
さらに、被覆部材１０により、当接板部８の長手方向端部の端面部分も覆われることから、シャッターカーテンの昇降時に、ガイドレールの開口縁と当接板部８との直接の接触を防ぐことができ、接触音や摺接音、衝撃音などの騒音を防ぐことができ、また、ガイドレール開口縁の傷の発生を防ぐことが可能となる。
【００３４】
なお、上述した実施の形態では、水切スラット本体１の構造として、連結板部２を、上半部３と下半部６とで構成される例について述べたが、この連結板部２は、上下に分割されていない例えば一枚板状などの一体構造であってもよい。
この一例としての一枚板状の連結板部２の構造としては、上述したような中空な角形パイプ状に形成されるものとしてもよく、その場合、係合片１７の構成として、上述と同様に、一対で構成して、連結板部２に係合される構成とする。また、中実な板状に構成される連結板部２とした場合には、この連結板部２を挟持するような構成としたり、係合片１７を１つで構成し、連結板部２に対して係合する構成とすればよい。
また、上記したような爪部１８と係止穴１９よりなる構成となる係合部１７の構成以外に、連結板部２側に凸部を設け、被覆部材１０側に凹部を設けて、これら凸部と凹部とで互いが係合する構成としてもよい。
【００３５】
また、上述した実施の形態では、シャッターカーテン３０の収納部２５への収納状態について、巻き取ることで収納部２５内に収納される例について述べたが、これに限定されることなく、略板状のまま上昇して送り込み収納される構成や、折り畳み収納、分離重合式に収納される構成などのシャッター装置など、その他の収納方法によるシャッターカーテン３０に連結される水切スラットとして構成してもよい。
【００３６】
さらに、上述した実施の形態では、水切スラットより上方側のシャッターカーテン３０を、短冊板状のスラット３１よりなる例について述べたが、パイプ状部材にて構成されるシャッターカーテンや、板状パネルで構成されるシャッターカーテン、シート材で構成されるシャッターカーテン、或いは、これらの複合にて構成されるシャッターカーテンなど、その他の構成のシャッターカーテンとしてもよい。
【００３７】
【発明の効果】
以上説明したように本発明による水切スラットの構造では、シャッターカーテンを収納部に収納する際に、シャッターカーテンが建物などの構築構造物の開口空間部分を全開状態とすると、水切スラットを構成する当接板部に被覆部材が取り付けられていることから、収納部の開口縁部には、被覆部材の上表面に設けられている緩衝部が当接することとなり、その当接時における接触音や衝撃音などの発生を抑止する効果を得られる。
【００３８】
また、緩衝部を軟質樹脂で構成することで、接触音や衝撃音などの発生をさらに抑止することとなる。
【００３９】
さらに、シャッターカーテンの全開状態時に、水切スラットを構成する当接板部が収納部の開口縁部に当接状態とされるが、当接板部と開口縁部との間に被覆部材の緩衝部が介在することにより、接触傷などを開口縁部側に負わせることを防止するという効果が得られる。このことから、開口縁部における見栄えの低下などを防ぎ、また、傷などによる錆の発生などのおそれも防止する。
【００４０】
さらに、緩衝片を設けた構成としたことで、上半部と下半部とで構成される連結板部に対し、これら上半部と下半部との接触対向面間にこの緩衝片が介在されることとなるので、下半部が上半部に対して上下動する際の接触音などの発生を防ぐことが可能となる。
【図面の簡単な説明】
【図１】本発明による水切スラットの構造の実施の形態を示す分解斜視図である。
【図２】同水切スラットの構造の一部分解斜視図である。
【図３】水切スラットの構造の斜視図である。
【図４】同水切スラットの構造の平断面図である。
【図５】同水切スラットの構造の一部裁断側面図である。
【図６】同水切スラットの構造の動作を示す側面図である。
【符号の説明】
２…連結板部
３…上半部
６…下半部
８…当接板部
８ｂ…端部
１０…被覆部材
１５…緩衝部
１７…係合部
１９…緩衝片
３０…シャッターカーテン
【図１】
2004278008.tif 000003
【図２】
2004278008.tif 000004
【図３】
2004278008.tif 000005
【図４】
2004278008.tif 000006
【図５】
2004278008.tif 000007
【図６】
2004278008.tif 000008